(57)【要約】【課題】ユーザがディスクの記録内容や残容量をごく短時間で知ることができるようにすると共に、ディスクが複数枚存在するような場合でも、特定のディスクの記録内容や残容量を速やかに知ることができるようする。【解決手段】記録再生装置本体１０は、ディスクメディア１に取り付けられたＲＦＩＤタグ１ａに記録される情報をリード／ライトする第１のＲＦＩＤリーダライタ１１を備える。またリモートコントローラ２０は、ＲＦＩＤタグ１ａに記録される情報をリード／ライトする第２のＲＦＩＤリーダライタ２１を備える。そして記録再生装置本体１０がディスクメディア１に対して記録した画像／音声の内容に関する情報をＲＦＩＤタグ１ａにライトさせる。ユーザは、このディスクメディア１をリモートコントローラ２０に近づけることで、ＲＦＩＤタグ１ａに記録された情報を情報表示部２２に表示させることができる。【選択図】図１
2005267731.tif 000002
【特許請求の範囲】
【請求項１】
ディスクメディアへの情報記録及び記録された情報の再生を行う記録再生装置本体よりなる第１の装置と、該記録再生装置本体とは別の第２の装置とを有するディスクメディア記録再生システムであって、前記第１の装置は、ディスクメディアに取り付けられたＲＦＩＤタグに記録される情報をリード／ライトする第１のＲＦＩＤリーダライタと、該第１のＲＦＩＤリーダライタによる情報のリード／ライトを制御する制御手段とを備え、前記第２の装置は、前記ＲＦＩＤタグに記録される情報をリード／ライトする第２のＲＦＩＤリーダライタと、該第２のＲＦＩＤリーダライタによってリードした情報を出力する出力手段とを備え、前記制御手段は、前記第１の装置がディスクメディアに対して記録した画像／音声の内容に関する情報を、前記第１のＲＦＩＤリーダライタによって前記ＲＦＩＤタグにライトさせ、前記第２のＲＦＩＤリーダライタは、前記第１のＲＦＩＤリーダライタによってライトされた情報を前記ＲＦＩＤタグからリードし、該情報を前記第２の装置の出力手段から出力することを特徴とするディスクメディア記録再生システム。
【請求項２】
前記制御手段は、前記ＲＦＩＤタグに対して、前記ディスクメディアの書き換えまたは追記可能な記憶領域の容量情報をライトし、前記第２のＲＦＩＤリーダライタは、前記記憶領域の容量情報を前記ＲＦＩＤタグからリードし、該容量情報を前記第２の装置の出力手段から出力することを特徴とする請求項１に記載のディスクメディア記録再生システム。
【請求項３】
前記第２の装置は、前記第１の装置との間で情報の転送が可能なリモートコントローラであって、該リモートコントローラは表示装置を有し、前記第２のＲＦＩＤリーダライタが前記ＲＦＩＤタグからリードした情報を前記表示装置に出力して表示することを特徴とする請求項１または２に記載のディスクメディア記録再生システム。
【請求項４】
前記第２の装置は、携帯電話であることを特徴とする請求項１または２に記載のディスクメディア記録再生システム。
【発明の詳細な説明】
【技術分野】
【０００１】
本発明は、種々のディスクメディアを記憶媒体としてデータの記録／再生を行うディスクメディア記録再生システムに関し、特に、記録再生装置が取り扱うべきメディアの種類及び状態を判別する機能を有するディスクメディア記録再生システムに関する。
【背景技術】
【０００２】
現在、ＤＶＤなどのディスクメディアを記憶媒体として録画／再生可能なＤＶＤレコーダ等の機器が多種存在している。ディスクメディアは、ＶＨＳのようなテープメディアとは異なり、小型軽量でかつランダムアクセスが可能であるため、操作性・保存性・携帯性が非常に優れており、普及が進んでいる。
【０００３】
しかしながら、一度記録再生装置から取り出したディスクメディアは、テープメディアとは異なり、記録可能な残容量をユーザが目で見て確認することはできない。また、記録されている情報の内容も別途ケース等に記載をしなければ確認することはできず、このような記載がなければ、再びディスクメディアを記録再生装置に挿入して、記録内容を確認する必要があった。
【０００４】
通常、このような記録再生装置は、ＣＤやＤＶＤ等、同様な形状の数種のディスクメディアに対応しているため、ディスクメディアを挿入した後にそのディスクメディアの種類を判別し、ディスクメディアに記憶された情報を読み取るまでに相当の時間を要していた。従って、例えばユーザが数枚のディスクメディアから、目的にあったディスクメディアを探しあてるのに、非常に手間がかかるという問題があった。
【０００５】
一方、非接触ＩＣ技術の発達により、ＩＳＯ規格化（ＩＳＯ１４４４３、ＩＳＯ１５６９３等）されているＲＦＩＤ（Ｒａｄｉｏ  Ｆｒｅｑｕｅｎｃｙ  Ｉｄｅｎｔｉｆｉｃａｔｉｏｎ）カードやＲＦＩＤタグを用いた、種々のアプリケーションが実用化されている。これらのＲＦＩＤタグは、個々に完全にユニークなＩＤを有しており、またユーザが自由に情報をリード／ライトすることが可能なユーザ領域が、そのメモリ領域内に設定されているものもある。ＲＦＩＤタグのメモリに対して情報のリード／ライトを行うためには、専用のＲＦＩＤリーダライタを必要とする。ＲＦＩＤリーダライタがＲＦＩＤタグの存在を認識するための通信距離は、数ミリメートルから数メートルと様々である。
【０００６】
上記のようなＲＦＩＤを使用して、ディスクメディアの記憶内容を確認可能とする技術として、例えば、特許文献１のラベル及び記録装置並びに再生装置がある。図５は、上記特許文献１の開示技術を説明するための図で、背面にＲＦＩＤタグ３５を装着したディスクカートリッジ３７を、ＲＦＩＤリーダライタ３２を備えた記録再生装置３１に近づけた状態を示す図である。図５に示すように、ディスクメディア３６をその内部に収容するディスクカートリッジ３７は、その背面にＲＦＩＤタグ３５が装着され、記録再生装置３１の前面には、ＲＦＩＤリーダライタ３２が設けられている。
【０００７】
記録再生装置３１におけるＲＦＩＤリーダライタ３２は、上記ディスクカートリッジ３７を記録再生装置３１のディスクカートリッジ挿入口３４に挿入した際に、ディスクカートリッジ３７の背面に設けられたＲＦＩＤタグ３５との間で通信可能な位置に取り付けられている。すなわち、ディスクカートリッジ３７が記録再生装置３１に挿入されている状態では、ＲＦＩＤリーダライタ３２は、ＲＦＩＤタグ３５に対して自由にアクセスが可能となる。
【０００８】
このような状態で、例えば、ユーザの指示によりディスクメディア３６に音楽データが記録された場合、ＲＦＩＤリーダライタ３２によって、ディスクメディア３６の記録内容を示す記録情報をＲＦＩＤタグ３５にライトする。そして、ユーザの指示によってディスクメディア３６を収容するディスクカートリッジ３７を記録再生装置３１から取り出した後、ユーザがディスクメディア３６の記録内容を確認したい場合には、ディスクカートリッジ３７の背面に装着されたＲＦＩＤタグ３５を、記録再生装置３１の前面に装着されているＲＦＩＤリーダライタ３２に近づける。
【０００９】
記録再生装置３１は、ＲＦＩＤタグ３５に記録されている情報をリードし、ディスクメディア３６の記録内容についての情報を提示する。特に、特許文献１の発明では、スピーカ３３からの音声で情報を提示することを特徴としており、ディスクメディア３６を収容したディスクカートリッジ３７を記録再生装置３１に挿入することなく、ディスクメディア３６の種類や内容を比較的短時間のうちに確認することが可能である。
【００１０】
しかしながら、上記特許文献１の発明では、記録再生装置３１に搭載されるＲＦＩＤリーダライタ３２に、ディスクカートリッジ３７を接近させなければならず、ユーザが記録再生装置３１付近までディスクメディア３６を搬送しなければならないという手間を要する。さらに特許文献１の発明では、一般的なＲＦＩＤタグで発生し得るコリジョン発生時の対応についての考慮がなされていない。
【００１１】
コリジョンとは、ＲＦＩＤリーダライタの通信距離内に複数のＲＦＩＤタグが存在する状態を指す。このような場合、ＲＦＩＤリーダライタが、その通信距離内に複数のＲＦＩＤタグが存在することの有無を認識することによって、個々のＲＦＩＤタグにアクセスすることは可能である。しかしながら、個々のＲＦＩＤタグの物理的な配置がどこにあるかをＲＦＩＤリーダライタが単独で識別することは不可能である。
【００１２】
従って特許文献１のような構成の場合、例えば、１枚のディスクメディア３６を記録再生装置３１に挿入している状態で、別のディスクカートリッジがＲＦＩＤリーダライタ３２の通信距離内に存在している場合に、ＲＦＩＤリーダライタ３２からはどちらのディスクメディアが記録再生装置３１に挿入されていて、どちらのディスクメディアが記録再生装置３１の外にあるか判別できない状態となり、ユーザが内容を確認したい対象のディスクメディアがどちらのディスクメディアであるか判別できないという問題が生じる。また、ＲＦＩＤリーダライタ３２の通信距離内で、記録再生装置３１の外側にディスクカートリッジ３７が２つ存在する場合も同様である。
【特許文献１】特開２００２−２５１８６１号公報
【発明の開示】
【発明が解決しようとする課題】
【００１３】
上述のように、書換えまたは追記可能なディスクメディアに記録されている内容をユーザが瞬時に確認可能とすることは難しく、例えば、ユーザが記録再生装置によってテレビジョン放送番組を即座に録画したいような場面で、必要な空き容量のあるディスクを短時間のうちに判別することができずに、録画機会を逸してしまうという問題があった。また、コリジョンが発生するような場合でも、ユーザ自身が通信距離内にある他のディスクを全て通信距離範囲外へと搬送する必要があり、非常な手間がかかるという問題があった。
【００１４】
本発明は、上記のような問題を鑑みてなされたもので、ユーザがディスクメディアの記録内容や残容量をごく短時間で知ることができるようにすると共に、ディスクメディアが複数枚存在するような場合でも、特定のディスクメディアの記録内容や残容量を速やかに知ることができるようにした、ユーザにとって利便性の高いディスクメディア記録再生システムを提供することを目的とするものである。
【課題を解決するための手段】
【００１５】
第１の技術手段は、ディスクメディアへの情報記録及び記録された情報の再生を行う記録再生装置本体よりなる第１の装置と、記録再生装置本体とは別の第２の装置とを有するディスクメディア記録再生システムであって、第１の装置は、ディスクメディアに取り付けられたＲＦＩＤタグに記録される情報をリード／ライトする第１のＲＦＩＤリーダライタと、第１のＲＦＩＤリーダライタによる情報のリード／ライトを制御する制御手段とを備え、第２の装置は、ＲＦＩＤタグに記録される情報をリード／ライトする第２のＲＦＩＤリーダライタと、第２のＲＦＩＤリーダライタによってリードした情報を出力する出力手段とを備え、制御手段は、第１の装置がディスクメディアに対して記録した画像／音声の内容に関する情報を、第１のＲＦＩＤリーダライタによってＲＦＩＤタグにライトさせ、第２のＲＦＩＤリーダライタは、第１のＲＦＩＤリーダライタによってライトされた情報を前記ＲＦＩＤタグからリードし、情報を前記第２の装置の出力手段から出力することを特徴としたものである。
【００１６】
第２の技術手段は、第１の技術手段において、制御手段が、ＲＦＩＤタグに対して、ディスクメディアの書き換えまたは追記可能な記憶領域の容量情報をライトし、第２のＲＦＩＤリーダライタが、記憶領域の容量情報を前記ＲＦＩＤタグからリードし、容量情報を前記第２の装置の出力手段から出力することを特徴としたものである。
【００１７】
第３の技術手段は、第１または第２の技術手段において、上記第２の装置が、上記第１の装置との間で情報の転送が可能なリモートコントローラであって、リモートコントローラは表示装置を有し、第２のＲＦＩＤリーダライタがＲＦＩＤタグからリードした情報を表示装置に出力して表示することを特徴としたものである。
【００１８】
第４の技術手段は、第１または第２の技術手段において、上記第２の装置が、携帯電話であることを特徴としたものである。
【発明の効果】
【００１９】
本発明によれば、ディスクメディアに対して実際に情報の記録再生を行うディスクメディア記録再生装置本体にディスクメディアを挿入したり近づけたりすることなく、ディスクメディアの記録内容や残容量をごく短時間で知ることができ、またディスクメディアが複数枚存在するような場合でも、特定のディスクメディアの記録内容や残容量を速やかに知ることができ、これによってユーザにとって利便性の高いディスクメディア記録再生装置を提供することができる。
【発明を実施するための最良の形態】
【００２０】
図１は、本発明のディスクメディア記録再生システムの一実施形態の構成を模式的に示す説明図である。ディスクメディア記録再生システムは、ディスクメディア１への情報記録及び情報の再生を行う記録再生装置本体（第１の装置）１０と、リモートコントローラ（第２の装置）２０とを有する。
記録再生装置本体１０内には、制御手段であるホストコントローラ１２、ＲＦＩＤリーダライタ（第１のＲＦＩＤリーダライタ）１１、記憶手段（メモリ）１３が備えられ、さらに一般的なディスクメディア記録再生装置に含まれるピックアップモジュール１４、図示しない信号処理回路、及び図示しないサーボ等が備えられている。
【００２１】
第１のＲＦＩＤリーダライタ１１は、ディスクメディア１または、ディスクメディア１を収容しているディスクカートリッジ（図示せず）に装着されているＲＦＩＤタグ１ａのＩＤ情報をリードすることができる。ＲＦＩＤタグ１ａの形状（アンテナ形状やメモリの配置場所）は特に問うものではないが、本実施形態ではディスクメディア１と同心円状となるように、ディスクメディア１上にＲＦＩＤタグ１ａを配設している。また、第１のＲＦＩＤリーダライタ１１がＲＦＩＤタグ１ａをリードすることができる通信範囲は、第１の通信領域Ｅ１で示される範囲とする。
【００２２】
ホストコントローラ１２は、第１のＲＦＩＤリーダライタ１１及びメモリ１３を制御している。また、メモリ１３には、記録再生装置本体１０内に挿入されているディスクメディア１に配設されたＲＦＩＤタグ１ａのタグ固有ＩＤが記憶される。
【００２３】
リモートコントローラ（第２の装置）２０は、一般のリモートコントローラが備える図示しないボタン等や赤外線出力を有し、記録再生装置本体１０との間で情報の転送が可能に構成される。さらにリモートコントローラ２０は、ＲＦＩＤリーダライタ（第２のＲＦＩＤリーダライタ）２１，及び情報表示部２２を備える。第２のＲＦＩＤリーダライタ２１がＲＦＩＤタグと通信可能な範囲は、第２の通信領域Ｅ２で示される範囲とする。
なお、情報表示部２２は本発明の出力手段の一形態である表示装置として機能するが、情報を出力する出力手段としては、上記表示装置の他、音声出力を行うスピーカなどを適用することができる。
【００２４】
ディスクメディア１は、記録再生装置本体１０に設けられたローディング機構であるディスクトレイ（図示せず）によって、記録再生装置本体１０の内部に挿入される。ディスクトレイは、可動域Ｍの範囲で前後に進退し、ディスクメディア１の記録再生装置本体１０への挿入と、記録再生装置本体１０からのディスクメディア１の取り出しとを可能にする。ディスクトレイの動作によって、ＲＦＩＤタグ１ａが第１のＲＦＩＤリーダライタ１１の通信領域Ｅ１の範囲内に入ると、第１のＲＦＩＤリーダライタ１１は、ただちにＲＦＩＤタグ１ａのタグ固有のＩＤ情報をリードする。そしてリードしたＩＤ情報は、ホストコントローラ１２によってメモリ１３へ伝送され記憶される。
【００２５】
記録再生装置本体１０に挿入されたディスクメディア１は、ユーザの操作によりなんらかのデータが記録された後で、実際の記録内容やディスクメディア１の残容量に関する情報がホストコントローラ１２によって作成され、第１のＲＦＩＤリーダライタ１１によって、メモリ１３に記憶されたタグ固有ＩＤを持つＲＦＩＤタグ１ａに対して、上記作成された情報が書き込まれる。
【００２６】
図２は、リモートコントローラによるタグ情報の読み取りについて説明するための図である。図２に示すように、ユーザは、情報の記録内容や残容量に関する情報が記録されたＲＦＩＤタグ１ａをもつディスクメディア１を記録再生装置本体１０から排出し、そのディスクメディア１をリモートコントローラ（第２の装置）２０に備えられた第２のＲＦＩＤリーダライタ２１に近づける。ここで第２のＲＦＩＤリーダライタ２１は、ディスクメディア１が有するＲＦＩＤタグ１ａから情報を読み取り、その情報からディスク名称や録画内容、残容量を示す情報を情報表示部２２に表示させる。
【００２７】
リモートコントローラ２０の情報表示部２２に示す上記残容量に関する情報は、バイト単位でも時間単位でもよい。また、既に記録されている画像データ等のタイトルや、そのタイトルが占有している容量を、タイトル別に表示してもよい。ただし、多くの情報を表示させる場合には、ディスクメディア１に取り付けられるＲＦＩＤタグ１ａの記憶容量を大きくしなければならないので、必要最小限の情報のみを記憶させることが望ましい。
【００２８】
図３は、本発明においてリモートコントローラ周辺に複数のディスクメディアが存在するときの動作について説明するための図である。図３において、ディスクメディア１（第１のディスクメディアとする）は、ユーザが記録内容の確認対象としているディスクメディアであり、第２のディスクメディア２は、ユーザによる確認対象ではないディスクメディアであるものとする。
【００２９】
第１のディスクメディア１には、第１のＲＦＩＤタグ１ａが装着され、第２のディスクメディア２には、第２のＲＦＩＤタグ２ａが装着される。これら第１及び第２のＲＦＩＤタグ１ａ，２ａが、リモートコントローラ２０に装着された第２のＲＦＩＤリーダライタ２１の通信領域Ｅ２内に存在することによってコリジョンが発生する場合、情報表示部２２はコリジョンが発生している警告を表示し、確認対象ではない第２のディスクメディア２を第２のＲＦＩＤリーダライタ２１から遠ざけるようにユーザに促す。
【００３０】
図４は、本発明においてリモートコントローラ周辺に複数のディスクメディアが存在するときの動作について説明するための図である。上記のごとくの情報表示部２２におけるコリジョンの警告に従って、ユーザが第２のディスクメディア２を移動させてコリジョンが解消した時点、すなわち、第２のＲＦＩＤリーダライタ２１の通信領域Ｅ２内には、第１のディスクメディア１に装着されたＲＦＩＤタグ１ａのみが存在する状態になった時点で、第１のディスクメディア１の記録情報を情報表示部２２に表示させる。このように制御することで、ユーザはコリジョンの状態にあっても比較的手間をかけずに速やかに確認対象のディスクメディア１の記録情報を得ることが可能となる。
【００３１】
また、リモートコントローラ２０は、常に通信領域Ｅ２内のＲＦＩＤタグの有無を確認する必要はない。例えば、ユーザによってディスクメディアの確認を行う時のみにＲＦＩＤリーダライタを稼動させるボタンを予め設置しておき、ユーザがこのボタンを押している期間のみＲＦＩＤタグとの通信を行うようにしてもよく、このような制御を行うことによって、消費電力を削減することができる。
【００３２】
また、ＲＦＩＤリーダライタの通信領域Ｅ２をより狭くすることで、コリジョンの発生を防ぐことも可能であり、本発明をより好適に実施できる。
【図面の簡単な説明】
【００３３】
【図１】本発明のディスクメディア記録再生システムの一実施形態の構成を模式的に示す説明図である。
【図２】リモートコントローラによるタグ情報の読み取りについて説明するための図である。
【図３】本発明においてリモートコントローラ周辺に複数のディスクメディアが存在するときの動作について説明するための図である。
【図４】本発明においてリモートコントローラ周辺に複数のディスクメディアが存在するときの動作について説明するための図である。
【図５】特許文献１の開示技術を説明するための図である。
【符号の説明】
【００３４】
１…ディスクメディア、１ａ…ＲＦＩＤタグ、２…第２のディスクメディア、２ａ…第２のＲＦＩＤタグ、１０…記録再生装置本体、１１…ＲＦＩＤリーダライタ（第１のＲＦＩＤリーダライタ）、１２…ホストコントローラ、１３…記憶手段（メモリ）、１４…ピックアップモジュール、２０…リモートコントローラ、２１…ＲＦＩＤリーダライタ（第２のＲＦＩＤリーダライタ）、２２…情報表示部、３１…記録再生装置、３２…ＲＦＩＤリーダライタ、３３…スピーカ、３４…ディスクカートリッジ挿入口、３５…ＲＦＩＤタグ、３６…ディスクメディア、３７…ディスクカートリッジ。
【図１】
2005267731.tif 000003
【図２】
2005267731.tif 000004
【図３】
2005267731.tif 000005
【図４】
2005267731.tif 000006
【図５】
2005267731.tif 000007